【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
ネットワーク情報を使用して制御基準送信を生成することと、
最初にクリアチャネルについて検査することなしに、前記制御基準送信のスケジュールされた送信時間より前に、アンライセンスキャリア上でチャネル予約信号を送信することと、ここにおいて、前記チャネル予約信号は、アクセスポイントに干渉送信のバックオフを行わせるためのものである、
前記スケジュールされた送信時間において前記アンライセンスキャリア上で前記制御基準送信を送信することと
を備える、ワイヤレス通信の方法。
【請求項２】
前記チャネル予約信号が、
チャネル使用ビーコン信号（ＣＵＢＳ：channel usage beacon signal）、
送信要求（ＲＴＳ）信号、または
送信クリア（ＣＴＳ）信号
のうちの少なくとも１つを含む、請求項１に記載の方法。
【請求項３】
前記ネットワーク情報が、
基地局に関連付けられた同期情報と、
前記基地局に関連付けられた共通基準信号（ＣＲＳ）と、
前記基地局に関連付けられたブロードキャストチャネルと、
前記基地局に関連付けられたタイミング情報と、
前記基地局に関連付けられた周波数情報と、
前記基地局のセル識別子（ＩＤ）と、
前記基地局に関連付けられたチャネル状態測定値と、
前記基地局に関連付けられた１つまたは複数のネットワークパラメータと、
前記基地局によってサービスされる１つまたは複数のユーザ機器（ＵＥ）に関連付けられたページング情報と、
前記基地局によってサービスされる前記１つまたは複数のＵＥに関連付けられた今度のトラフィックの情報と
のうちの１つまたは複数を含む、請求項１に記載の方法。
【請求項４】
ネットワーク情報を使用して制御基準送信を生成するための手段と、
最初にクリアチャネルについて検査することなしに、前記制御基準送信のスケジュールされた送信時間より前に、アンライセンスキャリア上でチャネル予約信号を送信するための手段と、ここにおいて、前記チャネル予約信号は、アクセスポイントに干渉送信のバックオフを行わせるためのものである、
前記スケジュールされた送信時間において前記アンライセンスキャリア上で前記制御基準送信を送信するための手段と
を備える、ワイヤレス通信のために構成された装置。
【請求項５】
前記アンライセンスキャリア上でクリアチャネルアセスメント（ＣＣＡ）を実行するための手段をさらに備え、
ここにおいて、前記チャネル予約信号が、
チャネル使用ビーコン信号（ＣＵＢＳ）、
送信要求（ＲＴＳ）信号、または
送信クリア（ＣＴＳ）信号
のうちの少なくとも１つを含む、請求項４に記載の装置。
【請求項６】
前記ネットワーク情報が、
基地局に関連付けられた同期情報と、
前記基地局に関連付けられた共通基準信号（ＣＲＳ）と、
前記基地局に関連付けられたブロードキャストチャネルと、
前記基地局に関連付けられたタイミング情報と、
前記基地局に関連付けられた周波数情報と、
前記基地局のセル識別子（ＩＤ）と、
前記基地局に関連付けられたチャネル状態測定値と、
前記基地局に関連付けられた１つまたは複数のネットワークパラメータと、
前記基地局によってサービスされる１つまたは複数のユーザ機器（ＵＥ）に関連付けられたページング情報と、
前記基地局によってサービスされる前記１つまたは複数のＵＥに関連付けられた今度のトラフィックの情報と
のうちの１つまたは複数を含む、請求項４に記載の装置。
【請求項７】
プログラムコードを記録した非一時的コンピュータ可読媒体であって、前記プログラムコードは、請求項１ないし３のいずれか一項に記載のステップを実行するように構成される、非一時的コンピュータ可読媒体。
【手続補正２】
【補正対象書類名】明細書
【補正対象項目名】００８８
【補正方法】変更
【補正の内容】
【００８８】
[00104]  本開示についての以上の説明は、いかなる当業者も本開示を作成または使用することができるように与えたものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願の出願当初の特許請求の範囲に記載された発明を付記する。
［Ｃ１］  ネットワーク情報を使用して制御基準送信を生成することと、
前記制御基準送信のスケジュールされた送信時間より前に、アンライセンスキャリア上でチャネル予約信号を送信することと、
前記スケジュールされた送信時間において前記アンライセンスキャリア上で前記制御基準送信を送信することとを備える、ワイヤレス通信の方法。
［Ｃ２］  前記アンライセンスキャリア上でクリアチャネルアセスメント（ＣＣＡ）を実行することをさらに備え、
ここにおいて、前記チャネル予約信号は、前記ＣＣＡが前記アンライセンスキャリアがクリアであることを示すことに応答して送信され、
ここにおいて、前記チャネル予約信号が、
チャネル使用ビーコン信号（ＣＵＢＳ：channel usage beacon signal）、
送信要求（ＲＴＳ）信号、または
送信クリア（ＣＴＳ）信号のうちの少なくとも１つを含む、Ｃ１に記載の方法。
［Ｃ３］  前記ネットワーク情報が、
基地局に関連付けられた同期情報と、
前記基地局に関連付けられた共通基準信号（ＣＲＳ）と、
前記基地局に関連付けられたブロードキャストチャネルと、
前記基地局に関連付けられたタイミング情報と、
前記基地局に関連付けられた周波数情報と、
前記基地局のセル識別子（ＩＤ）と、
前記基地局に関連付けられたチャネル状態測定値と、
前記基地局に関連付けられた１つまたは複数のネットワークパラメータと、
前記基地局によってサービスされる１つまたは複数のユーザ機器（ＵＥ）に関連付けられたページング情報と、
前記基地局によってサービスされる前記１つまたは複数のＵＥに関連付けられた今度のトラフィックの情報とのうちの１つまたは複数を含む、Ｃ１に記載の方法。
［Ｃ４］  前記制御基準送信が、クリアチャネルアセスメント免除送信（ＣＥＴ：clear channel assessment exempt transmission）を含む、Ｃ１に記載の方法。
［Ｃ５］  ネットワーク情報を使用して制御基準送信を生成することと、
アンライセンスキャリア上での前記制御基準送信の送信のためのスケジュールされた制御基準送信ウィンドウ内のロケーションを選択することと、
前記スケジュールされた制御基準送信ウィンドウ内の前記ロケーションにおいて前記アンライセンスキャリア上で前記制御基準送信を送信することとを備える、ワイヤレス通信の方法。
［Ｃ６］  前記アンライセンスキャリア上でクリアチャネルアセスメント（ＣＣＡ）を実行することをさらに備え、ここにおいて、前記制御基準送信は、前記ＣＣＡが前記アンライセンスキャリアがクリアであることを示すことに応答して送信される、Ｃ５に記載の方法。
［Ｃ７］  前記ロケーションが、ホッピング関数に基づいて選択される、Ｃ５に記載の方法。
［Ｃ８］  前記ホッピング関数は、基地局がそれに関連付けられた各パブリックランドモバイル番号（ＰＬＭＮ）についてあらかじめ定義される、Ｃ７に記載の方法。
［Ｃ９］  前記ホッピング関数が、ユーザ機器（ＵＥ）に知られているランダム化パターンを含む、Ｃ７に記載の方法。
［Ｃ１０］  前記ネットワーク情報が、
基地局に関連付けられた同期情報と、
前記基地局に関連付けられた共通基準信号（ＣＲＳ）と、
前記基地局に関連付けられたブロードキャストチャネルと、
前記基地局に関連付けられたタイミング情報と、
前記基地局に関連付けられた周波数情報と、
前記基地局のセル識別子（ＩＤ）と、
前記基地局に関連付けられたチャネル状態測定値と、
前記基地局に関連付けられた１つまたは複数のネットワークパラメータと、
前記基地局によってサービスされる１つまたは複数のユーザ機器（ＵＥ）に関連付けられたページング情報と、
前記基地局によってサービスされる前記１つまたは複数のＵＥに関連付けられた今度のトラフィックの情報とのうちの１つまたは複数を含む、Ｃ５に記載の方法。
［Ｃ１１］  前記制御基準送信が、クリアチャネルアセスメント免除送信（ＣＥＴ）を含む、Ｃ５に記載の方法。
［Ｃ１２］  アンライセンスキャリア上でのサービング基地局からのダウンリンク制御基準送信のスケジュールを決定することと、
前記スケジュールに従って次の制御基準送信より前に前記アンライセンスキャリア上でチャネル予約信号を送信することと、
前記アンライセンスキャリア上での前記次の制御基準送信を受信することとを備える、ワイヤレス通信の方法。
［Ｃ１３］  前記スケジュールが、前記アンライセンスキャリア上での前記ダウンリンク制御基準送信の送信のためのスケジュールされた制御基準送信ウィンドウ内のロケーションを含み、ここにおいて、前記ロケーションが、ユーザ機器（ＵＥ）に知られているホッピング関数に基づく、Ｃ１２に記載の方法。
［Ｃ１４］  前記ホッピング関数が、ランダム化パターンを含む、Ｃ１３に記載の方法。
［Ｃ１５］  前記チャネル予約信号が、
チャネル使用ビーコン信号（ＣＵＢＳ）、
送信要求（ＲＴＳ）信号、または
送信クリア（ＣＴＳ）信号のうちの少なくとも１つを含む、Ｃ１２に記載の方法。
［Ｃ１６］  前記ダウンリンク制御基準送信の前記スケジュールに従って前の制御基準送信を復号することの失敗を決定すること、ここにおいて、前記チャネル予約信号を前記送信することが、前記失敗に応答して実行される、をさらに含む、Ｃ１２に記載の方法。
［Ｃ１７］  ページングオケージョンを復号しようとする各試みについて信号品質を監視することと、
前記信号品質が復号しきい値レベルを満たすことに失敗した各時間を表す低信号品質メトリックを決定することと、ここにおいて、前記チャネル予約信号を前記送信することは、前記低信号品質メトリックが所定のしきい値を超えることに応答して実行される、をさらに含む、Ｃ１２に記載の方法。
［Ｃ１８］  前記ダウンリンク制御基準送信の前記スケジュールに従って制御基準送信を復号することの失敗率を監視することと、
前記失敗率に少なくとも部分的に基づいて、前記信号予約信号の送信電力を調整することとをさらに含む、Ｃ１２に記載の方法。
［Ｃ１９］  前記ダウンリンク制御基準送信が、クリアチャネルアセスメント免除送信（ＣＥＴ）を含む、Ｃ１２に記載の方法。
［Ｃ２０］  基地局によってサービスされるユーザ機器（ＵＥ）から送信される予想されるアップリンク制御基準送信のためのアップリンク制御基準送信受信の予想される持続時間を決定することと、
保護信号を送信することと、ここにおいて、前記保護信号が、前記アップリンク制御基準送信受信の前記予想される持続時間の少なくとも前記持続時間の保護持続時間を識別する、
前記予想されるアップリンク制御基準送信を監視することとを備える、ワイヤレス通信の方法。
［Ｃ２１］  アンライセンスキャリア上でクリアチャネルアセスメント（ＣＣＡ）を実行することと、
ダウンリンク制御基準送信を送信することと、ここにおいて、前記制御基準送信は、前記ＣＣＡが前記アンライセンスキャリアがクリアであることを示すことに応答して送信され、ここにおいて、前記保護信号が、前記ダウンリンク制御基準送信の後であるが前記予想されるアップリンク制御基準送信の前に送信される、をさらに含む、Ｃ２０に記載の方法。
［Ｃ２２］  ダウンリンク制御基準送信の持続時間を決定すること、ここにおいて、前記保護信号によって識別される前記予想される持続時間が、前記ダウンリンク制御基準送信の前記持続時間をさらに含む、をさらに含む、Ｃ２０に記載の方法。
［Ｃ２３］  前記保護信号が、
送信要求（ＲＴＳ）信号、または
送信クリア（ＣＴＳ）信号のうちの少なくとも１つを含む、Ｃ２０に記載の方法。
［Ｃ２４］  前記制御基準送信が、クリアチャネルアセスメント免除送信（ＣＥＴ）を含む、Ｃ２０に記載の方法。
［Ｃ２５］  ネットワーク情報を使用して制御基準送信を生成するための手段と、
前記制御基準送信のスケジュールされた送信時間より前にアンライセンスキャリア上でチャネル予約信号を送信するための手段と、
前記スケジュールされた送信時間において前記アンライセンスキャリア上で前記制御基準送信を送信するための手段とを備える、ワイヤレス通信のために構成された装置。
［Ｃ２６］  前記アンライセンスキャリア上でクリアチャネルアセスメント（ＣＣＡ）を実行するための手段をさらに備え、
ここにおいて、前記チャネル予約信号を送信するための前記手段は、前記ＣＣＡが前記アンライセンスキャリアがクリアであることを示すことに応答して実行され、
ここにおいて、前記チャネル予約信号が、
チャネル使用ビーコン信号（ＣＵＢＳ）、
送信要求（ＲＴＳ）信号、または
送信クリア（ＣＴＳ）信号のうちの少なくとも１つを含む、Ｃ２５に記載の装置。
［Ｃ２７］  前記ネットワーク情報が、
基地局に関連付けられた同期情報と、
前記基地局に関連付けられた共通基準信号（ＣＲＳ）と、
前記基地局に関連付けられたブロードキャストチャネルと、
前記基地局に関連付けられたタイミング情報と、
前記基地局に関連付けられた周波数情報と、
前記基地局のセル識別子（ＩＤ）と、
前記基地局に関連付けられたチャネル状態測定値と、
前記基地局に関連付けられた１つまたは複数のネットワークパラメータと、
前記基地局によってサービスされる１つまたは複数のユーザ機器（ＵＥ）に関連付けられたページング情報と、
前記基地局によってサービスされる前記１つまたは複数のＵＥに関連付けられた今度のトラフィックの情報とのうちの１つまたは複数を含む、Ｃ２５に記載の装置。
［Ｃ２８］  前記制御基準送信が、クリアチャネルアセスメント免除送信（ＣＥＴ）を含む、Ｃ２５に記載の装置。
［Ｃ２９］  ネットワーク情報を使用して制御基準送信を生成するための手段と、
アンライセンスキャリア上での前記制御基準送信の送信のためのスケジュールされた制御基準送信ウィンドウ内のロケーションを選択するための手段と、
前記スケジュールされた制御基準送信ウィンドウ内の前記ロケーションにおいて前記アンライセンスキャリア上で前記制御基準送信を送信するための手段とを備える、ワイヤレス通信のために構成された装置。
［Ｃ３０］  前記アンライセンスキャリア上でクリアチャネルアセスメント（ＣＣＡ）を実行するための手段をさらに備え、ここにおいて、前記制御基準送信を送信するための前記手段は、前記ＣＣＡが前記アンライセンスキャリアがクリアであることを示すことに応答して実行される、Ｃ２９に記載の装置。
［Ｃ３１］  前記ロケーションが、ホッピング関数に基づいて選択される、Ｃ２９に記載の装置。
［Ｃ３２］  前記ホッピング関数は、基地局がそれに関連付けられた各パブリックランドモバイル番号（ＰＬＭＮ）についてあらかじめ定義される、Ｃ３１に記載の装置。
［Ｃ３３］  前記ホッピング関数が、ユーザ機器（ＵＥ）に知られているランダム化パターンを含む、Ｃ３１に記載の装置。
［Ｃ３４］  前記ネットワーク情報が、
基地局に関連付けられた同期情報と、
前記基地局に関連付けられた共通基準信号（ＣＲＳ）と、
前記基地局に関連付けられたブロードキャストチャネルと、
前記基地局に関連付けられたタイミング情報と、
前記基地局に関連付けられた周波数情報と、
前記基地局のセル識別子（ＩＤ）と、
前記基地局に関連付けられたチャネル状態測定値と、
前記基地局に関連付けられた１つまたは複数のネットワークパラメータと、
前記基地局によってサービスされる１つまたは複数のユーザ機器（ＵＥ）に関連付けられたページング情報と、
前記基地局によってサービスされる前記１つまたは複数のＵＥに関連付けられた今度のトラフィックの情報とのうちの１つまたは複数を含む、Ｃ２９に記載の装置。
［Ｃ３５］  前記制御基準送信が、クリアチャネルアセスメント免除送信（ＣＥＴ）を含む、Ｃ２９に記載の装置。
［Ｃ３６］  アンライセンスキャリア上でのサービング基地局からのダウンリンク制御基準送信のスケジュールを決定するための手段と、
前記スケジュールに従って次の制御基準送信より前に前記アンライセンスキャリア上でチャネル予約信号を送信するための手段と、
前記アンライセンスキャリア上での前記次の制御基準送信を受信するための手段とを備える、ワイヤレス通信のために構成された装置。
［Ｃ３７］  前記スケジュールが、前記アンライセンスキャリア上での前記制御基準送信の送信のためのスケジュールされた制御基準送信ウィンドウ内のロケーションを含み、ここにおいて、前記ロケーションが、ユーザ機器（ＵＥ）に知られているホッピング関数に基づく、Ｃ３６に記載の装置。
［Ｃ３８］  前記ホッピング関数が、ランダム化パターンを含む、Ｃ３７に記載の装置。
［Ｃ３９］  前記チャネル予約信号が、
チャネル使用ビーコン信号（ＣＵＢＳ）、
送信要求（ＲＴＳ）信号、または
送信クリア（ＣＴＳ）信号のうちの少なくとも１つを含む、Ｃ３６に記載の装置。
［Ｃ４０］  前記ダウンリンク制御基準送信の前記スケジュールに従って前の制御基準送信を復号することの失敗を決定するための手段、ここにおいて、前記チャネル予約信号を送信するための前記手段が、前記失敗に応答して実行される、をさらに含む、Ｃ３６に記載の装置。
［Ｃ４１］  ページングオケージョンを復号しようとする各試みについて信号品質を監視するための手段と、
前記信号品質が復号しきい値レベルを満たすことに失敗した各時間を表す低信号品質メトリックを決定するための手段と、ここにおいて、前記チャネル予約信号を送信するための前記手段は、前記低信号品質メトリックが所定のしきい値を超えることに応答して実行される、をさらに含む、Ｃ３６に記載の装置。
［Ｃ４２］  前記ダウンリンク制御基準送信の前記スケジュールに従って制御基準送信を復号することの失敗率を監視するための手段と、
前記失敗率に少なくとも部分的に基づいて、前記信号予約信号の送信電力を調整するための手段とをさらに含む、Ｃ３６に記載の装置。
［Ｃ４３］  前記制御基準送信が、クリアチャネルアセスメント免除送信（ＣＥＴ）を含む、Ｃ３６に記載の装置。
［Ｃ４４］  基地局によってサービスされるユーザ機器（ＵＥ）から送信される予想されるアップリンク制御基準送信のためのアップリンク制御基準送信受信の予想される持続時間を決定するための手段と、
保護信号を送信するための手段と、ここにおいて、前記保護信号が、前記アップリンク制御基準送信受信の前記予想される持続時間の少なくとも前記持続時間の保護持続時間を識別する、
前記予想されるアップリンク制御基準送信を監視するための手段とを備える、ワイヤレス通信のために構成された装置。
［Ｃ４５］  アンライセンスキャリア上でクリアチャネルアセスメント（ＣＣＡ）を実行するための手段と、
ダウンリンク制御基準送信を送信するための手段と、ここにおいて、前記制御基準送信は、前記ＣＣＡが前記アンライセンスキャリアがクリアであることを示すことに応答して送信され、ここにおいて、前記保護信号が、前記ダウンリンク制御基準送信の後であるが前記予想されるアップリンク制御基準送信の前に送信される、をさらに含む、Ｃ４４に記載の装置。
［Ｃ４６］  ダウンリンク制御基準送信の持続時間を決定するための手段、ここにおいて、前記保護信号によって識別される前記保護持続時間が、前記ダウンリンク制御基準送信の前記持続時間をさらに含む、をさらに含む、Ｃ４４に記載の装置。
［Ｃ４７］  前記保護信号が、
送信要求（ＲＴＳ）信号、または
送信クリア（ＣＴＳ）信号のうちの少なくとも１つを含む、Ｃ４４に記載の装置。
［Ｃ４８］  前記制御基準送信が、クリアチャネルアセスメント免除送信（ＣＥＴ）を含む、Ｃ４４に記載の装置。
［Ｃ４９］  プログラムコードを記録した非一時的コンピュータ可読媒体であって、前記プログラムコードが、
ネットワーク情報を使用して制御基準送信を生成することをコンピュータに行わせるためのプログラムコードと、
前記制御基準送信のスケジュールされた送信時間より前にアンライセンスキャリア上でチャネル予約信号を送信することを前記コンピュータに行わせるためのプログラムコードと、
前記スケジュールされた送信時間において前記アンライセンスキャリア上で前記制御基準送信を送信することを前記コンピュータに行わせるためのプログラムコードとを含む、非一時的コンピュータ可読媒体。
［Ｃ５０］  前記アンライセンスキャリア上でクリアチャネルアセスメント（ＣＣＡ）を実行することを前記コンピュータに行わせるためのプログラムコードをさらに備え、
ここにおいて、前記チャネル予約信号を送信することを前記コンピュータに行わせるための前記プログラムコードは、前記ＣＣＡが前記アンライセンスキャリアがクリアであることを示すことに応答して実行され、
ここにおいて、前記チャネル予約信号が、
チャネル使用ビーコン信号（ＣＵＢＳ）、
送信要求（ＲＴＳ）信号、または
送信クリア（ＣＴＳ）信号のうちの少なくとも１つを含む、Ｃ４９に記載の非一時的コンピュータ可読媒体。
［Ｃ５１］  前記ネットワーク情報が、
基地局に関連付けられた同期情報と、
前記基地局に関連付けられた共通基準信号（ＣＲＳ）と、
前記基地局に関連付けられたブロードキャストチャネルと、
前記基地局に関連付けられたタイミング情報と、
前記基地局に関連付けられた周波数情報と、
前記基地局のセル識別子（ＩＤ）と、
前記基地局に関連付けられたチャネル状態測定値と、
前記基地局に関連付けられた１つまたは複数のネットワークパラメータと、
前記基地局によってサービスされる１つまたは複数のユーザ機器（ＵＥ）に関連付けられたページング情報と、
前記基地局によってサービスされる前記１つまたは複数のＵＥに関連付けられた今度のトラフィックの情報とのうちの１つまたは複数を含む、Ｃ４９に記載の非一時的コンピュータ可読媒体。
［Ｃ５２］  前記制御基準送信が、クリアチャネルアセスメント免除送信（ＣＥＴ）を含む、Ｃ４９に記載の非一時的コンピュータ可読媒体。
［Ｃ５３］  プログラムコードを記録した非一時的コンピュータ可読媒体であって、前記プログラムコードが、
ネットワーク情報を使用して制御基準送信を生成することをコンピュータに行わせるためのプログラムコードと、
アンライセンスキャリア上での制御基準送信の送信のためのスケジュールされた制御基準送信ウィンドウ内のロケーションを選択することを前記コンピュータに行わせるためのプログラムコードと、
前記スケジュールされた制御基準送信ウィンドウ内の前記ロケーションにおいて前記アンライセンスキャリア上で前記制御基準送信を送信することを前記コンピュータに行わせるためのプログラムコードとを含む、非一時的コンピュータ可読媒体。
［Ｃ５４］  前記アンライセンスキャリア上でクリアチャネルアセスメント（ＣＣＡ）を実行することを前記コンピュータに行わせるためのプログラムコードをさらに備え、ここにおいて、前記制御基準送信を送信することを前記コンピュータに行わせるための前記プログラムコードは、前記ＣＣＡが前記アンライセンスキャリアがクリアであることを示すことに応答して実行される、Ｃ５３に記載の非一時的コンピュータ可読媒体。
［Ｃ５５］  前記ロケーションが、ホッピング関数に基づいて選択される、Ｃ５３に記載の非一時的コンピュータ可読媒体。
［Ｃ５６］  前記ホッピング関数は、基地局がそれに関連付けられた各パブリックランドモバイル番号（ＰＬＭＮ）についてあらかじめ定義される、Ｃ５５に記載の非一時的コンピュータ可読媒体。
［Ｃ５７］  前記ホッピング関数が、ユーザ機器（ＵＥ）に知られているランダム化パターンを含む、Ｃ５５に記載の非一時的コンピュータ可読媒体。
［Ｃ５８］  前記ネットワーク情報が、
基地局に関連付けられた同期情報と、
前記基地局に関連付けられた共通基準信号（ＣＲＳ）と、
前記基地局に関連付けられたブロードキャストチャネルと、
前記基地局に関連付けられたタイミング情報と、
前記基地局に関連付けられた周波数情報と、
前記基地局のセル識別子（ＩＤ）と、
前記基地局に関連付けられたチャネル状態測定値と、
前記基地局に関連付けられた１つまたは複数のネットワークパラメータと、
前記基地局によってサービスされる１つまたは複数のユーザ機器（ＵＥ）に関連付けられたページング情報と、
前記基地局によってサービスされる前記１つまたは複数のＵＥに関連付けられた今度のトラフィックの情報とのうちの１つまたは複数を含む、Ｃ５３に記載の非一時的コンピュータ可読媒体。
［Ｃ５９］  前記制御基準送信が、クリアチャネルアセスメント免除送信（ＣＥＴ）を含む、Ｃ５３に記載の非一時的コンピュータ可読媒体。
［Ｃ６０］  プログラムコードを記録した非一時的コンピュータ可読媒体であって、前記プログラムコードが、
アンライセンスキャリア上でのサービング基地局からのダウンリンク制御基準送信のスケジュールを決定することをコンピュータに行わせるためのプログラムコードと、
前記スケジュールに従って次の制御基準送信より前に前記アンライセンスキャリア上でチャネル予約信号を送信することを前記コンピュータに行わせるためのプログラムコードと、
前記アンライセンスキャリア上での前記次の制御基準送信を受信することを前記コンピュータに行わせるためのプログラムコードとを含む、非一時的コンピュータ可読媒体。
［Ｃ６１］  前記スケジュールが、前記アンライセンスキャリア上での前記制御基準送信の送信のためのスケジュールされた制御基準送信ウィンドウ内のロケーションを含み、ここにおいて、前記ロケーションが、ユーザ機器（ＵＥ）に知られているホッピング関数に基づく、Ｃ６０に記載の非一時的コンピュータ可読媒体。
［Ｃ６２］  前記ホッピング関数が、ランダム化パターンを含む、Ｃ６１に記載の非一時的コンピュータ可読媒体。
［Ｃ６３］  前記チャネル予約信号が、
チャネル使用ビーコン信号（ＣＵＢＳ）、
送信要求（ＲＴＳ）信号、または
送信クリア（ＣＴＳ）信号のうちの少なくとも１つを含む、Ｃ６０に記載の非一時的コンピュータ可読媒体。
［Ｃ６４］  前記ダウンリンク制御基準送信の前記スケジュールに従って前の制御基準送信を復号することの失敗を決定することを前記コンピュータに行わせるためのプログラムコード、ここにおいて、前記チャネル予約信号を送信することを前記コンピュータに行わせるための前記プログラムコードが、前記失敗に応答して実行される、をさらに含む、Ｃ６０に記載の非一時的コンピュータ可読媒体。
［Ｃ６５］  ページングオケージョンを復号しようとする各試みについて信号品質を監視することを前記コンピュータに行わせるためのプログラムコードと、
前記信号品質が復号しきい値レベルを満たすことに失敗した各時間を表す低信号品質メトリックを決定することを前記コンピュータに行わせるためのプログラムコードと、ここにおいて、前記チャネル予約信号を送信することを前記コンピュータに行わせるための前記プログラムコードは、前記低信号品質メトリックが所定のしきい値を超えることに応答して実行される、をさらに含む、Ｃ６０に記載の非一時的コンピュータ可読媒体。
［Ｃ６６］  前記ダウンリンク制御基準送信の前記スケジュールに従って制御基準送信を復号することの失敗率を監視することを前記コンピュータに行わせるためのプログラムコードと、
前記失敗率に少なくとも部分的に基づいて、前記信号予約信号の送信電力を調整することを前記コンピュータに行わせるためのプログラムコードとをさらに含む、Ｃ６０に記載の非一時的コンピュータ可読媒体。
［Ｃ６７］  前記制御基準送信が、クリアチャネルアセスメント免除送信（ＣＥＴ）を含む、Ｃ６０に記載の非一時的コンピュータ可読媒体。
［Ｃ６８］  プログラムコードを記録した非一時的コンピュータ可読媒体であって、前記プログラムコードが、
基地局によってサービスされるユーザ機器（ＵＥ）から送信される予想されるアップリンク制御基準送信のためのアップリンク制御基準送信受信の予想される持続時間を決定することをコンピュータに行わせるためのプログラムコードと、
保護信号を送信することを前記コンピュータに行わせるためのプログラムコードと、ここにおいて、前記保護信号が、前記アップリンク制御基準送信受信の前記予想される持続時間の少なくとも前記持続時間の保護持続時間を識別する、
前記予想されるアップリンク制御基準送信を監視することを前記コンピュータに行わせるためのプログラムコードとを含む、非一時的コンピュータ可読媒体。
［Ｃ６９］  アンライセンスキャリア上でクリアチャネルアセスメント（ＣＣＡ）を実行することを前記コンピュータに行わせるためのプログラムコードと、
ダウンリンク制御基準送信を送信することを前記コンピュータに行わせるためのプログラムコードと、ここにおいて、前記制御基準送信を送信することを前記コンピュータに行わせるための前記プログラムコードは、前記ＣＣＡが前記アンライセンスキャリアがクリアであることを示すことに応答して実行され、ここにおいて、前記保護信号が、前記ダウンリンク制御基準送信の後であるが前記予想されるアップリンク制御基準送信の前に送信される、をさらに含む、Ｃ６８に記載の非一時的コンピュータ可読媒体。
［Ｃ７０］  ダウンリンク制御基準送信の持続時間を決定することを前記コンピュータに行わせるためのプログラムコード、ここにおいて、前記保護信号によって識別される前記予想される持続時間が、前記ダウンリンク制御基準送信の前記持続時間をさらに含む、をさらに含む、Ｃ６８に記載の非一時的コンピュータ可読媒体。
［Ｃ７１］  前記保護信号が、
送信要求（ＲＴＳ）信号、または
送信クリア（ＣＴＳ）信号のうちの少なくとも１つを含む、Ｃ６８に記載の非一時的コンピュータ可読媒体。
［Ｃ７２］  前記制御基準送信が、クリアチャネルアセスメント免除送信（ＣＥＴ）を含む、Ｃ６８に記載の非一時的コンピュータ可読媒体。
［Ｃ７３］  ワイヤレス通信のために構成された装置であって、前記装置が、
少なくとも１つのプロセッサと、
前記少なくとも１つのプロセッサに結合されたメモリとを備え、
ここにおいて、前記少なくとも１つのプロセッサが、
ネットワーク情報を使用して制御基準送信を生成することと、
前記制御基準送信のスケジュールされた送信時間より前にアンライセンスキャリア上でチャネル予約信号を送信することと、
前記スケジュールされた送信時間において前記アンライセンスキャリア上で前記制御基準送信を送信することと
を行うように構成された、装置。
［Ｃ７４］  前記アンライセンスキャリア上でクリアチャネルアセスメント（ＣＣＡ）を実行するための前記少なくとも１つのプロセッサの構成をさらに備え、
ここにおいて、前記チャネル予約信号は、前記ＣＣＡが前記アンライセンスキャリアがクリアであることを示すことに応答して送信され、
ここにおいて、前記チャネル予約信号が、
チャネル使用ビーコン信号（ＣＵＢＳ）、
送信要求（ＲＴＳ）信号、または
送信クリア（ＣＴＳ）信号のうちの少なくとも１つを含む、Ｃ７３に記載の装置。
［Ｃ７５］  前記ネットワーク情報が、
基地局に関連付けられた同期情報と、
前記基地局に関連付けられた共通基準信号（ＣＲＳ）と、
前記基地局に関連付けられたブロードキャストチャネルと、
前記基地局に関連付けられたタイミング情報と、
前記基地局に関連付けられた周波数情報と、
前記基地局のセル識別子（ＩＤ）と、
前記基地局に関連付けられたチャネル状態測定値と、
前記基地局に関連付けられた１つまたは複数のネットワークパラメータと、
前記基地局によってサービスされる１つまたは複数のユーザ機器（ＵＥ）に関連付けられたページング情報と、
前記基地局によってサービスされる前記１つまたは複数のＵＥに関連付けられた今度のトラフィックの情報とのうちの１つまたは複数を含む、Ｃ７３に記載の装置。
［Ｃ７６］  前記制御基準送信が、クリアチャネルアセスメント免除送信（ＣＥＴ）を含む、Ｃ７３に記載の装置。
［Ｃ７７］  ワイヤレス通信のために構成された装置であって、前記装置が、
少なくとも１つのプロセッサと、
前記少なくとも１つのプロセッサに結合されたメモリとを備え、
ここにおいて、前記少なくとも１つのプロセッサが、
ネットワーク情報を使用して制御基準送信を生成することと、
アンライセンスキャリア上での前記制御基準送信の送信のためのスケジュールされた制御基準送信ウィンドウ内のロケーションを選択することと、
前記スケジュールされた制御基準送信ウィンドウ内の前記ロケーションにおいて前記アンライセンスキャリア上で前記制御基準送信を送信することと
を行うように構成された、装置。
［Ｃ７８］  前記アンライセンスキャリア上でクリアチャネルアセスメント（ＣＣＡ）を実行するための前記少なくとも１つのプロセッサの構成をさらに備え、ここにおいて、前記制御基準送信は、前記ＣＣＡが前記アンライセンスキャリアがクリアであることを示すことに応答して送信される、Ｃ７７に記載の装置。
［Ｃ７９］  前記ロケーションが、ホッピング関数に基づいて選択される、Ｃ７７に記載の装置。
［Ｃ８０］  前記ホッピング関数は、基地局がそれに関連付けられた各パブリックランドモバイル番号（ＰＬＭＮ）についてあらかじめ定義される、Ｃ７９に記載の装置。
［Ｃ８１］  前記ホッピング関数が、ユーザ機器（ＵＥ）に知られているランダム化パターンを含む、Ｃ７９に記載の装置。
［Ｃ８２］  前記ネットワーク情報が、
基地局に関連付けられた同期情報と、
前記基地局に関連付けられた共通基準信号（ＣＲＳ）と、
前記基地局に関連付けられたブロードキャストチャネルと、
前記基地局に関連付けられたタイミング情報と、
前記基地局に関連付けられた周波数情報と、
前記基地局のセル識別子（ＩＤ）と、
前記基地局に関連付けられたチャネル状態測定値と、
前記基地局に関連付けられた１つまたは複数のネットワークパラメータと、
前記基地局によってサービスされる１つまたは複数のユーザ機器（ＵＥ）に関連付けられたページング情報と、
前記基地局によってサービスされる前記１つまたは複数のＵＥに関連付けられた今度のトラフィックの情報とのうちの１つまたは複数を含む、Ｃ７７に記載の装置。
［Ｃ８３］  前記制御基準送信が、クリアチャネルアセスメント免除送信（ＣＥＴ）を含む、Ｃ７７に記載の装置。
［Ｃ８４］  ワイヤレス通信のために構成された装置であって、前記装置が、
少なくとも１つのプロセッサと、
前記少なくとも１つのプロセッサに結合されたメモリとを備え、
ここにおいて、前記少なくとも１つのプロセッサが、
アンライセンスキャリア上でのサービング基地局からのダウンリンク制御基準送信のスケジュールを決定することと、
前記スケジュールに従って次の制御基準送信より前に前記アンライセンスキャリア上でチャネル予約信号を送信することと、
前記アンライセンスキャリア上での前記次の制御基準送信を受信することと
を行うように構成された、装置。
［Ｃ８５］  前記スケジュールが、前記アンライセンスキャリア上での前記ダウンリンク制御基準送信の送信のためのスケジュールされた制御基準送信ウィンドウ内のロケーションを含み、ここにおいて、前記ロケーションが、ユーザ機器（ＵＥ）に知られているホッピング関数に基づく、Ｃ８４に記載の装置。
［Ｃ８６］  前記ホッピング関数が、ランダム化パターンを含む、Ｃ８５に記載の装置。
［Ｃ８７］  前記チャネル予約信号が、
チャネル使用ビーコン信号（ＣＵＢＳ）、
送信要求（ＲＴＳ）信号、または
送信クリア（ＣＴＳ）信号のうちの少なくとも１つを含む、Ｃ８４に記載の装置。
［Ｃ８８］  前記ダウンリンク制御基準送信の前記スケジュールに従って前の制御基準送信を復号することの失敗を決定するための前記少なくとも１つのプロセッサの構成をさらに含み、ここにおいて、前記チャネル予約信号を送信するための前記少なくとも１つのプロセッサの前記構成が、前記失敗に応答して実行される、Ｃ８４に記載の装置。
［Ｃ８９］  ページングオケージョンを復号しようとする各試みについて信号品質を監視することと、
前記信号品質が復号しきい値レベルを満たすことに失敗した各時間を表す低信号品質メトリックを決定することと、ここにおいて、前記チャネル予約信号を送信するための前記少なくとも１つのプロセッサの前記構成は、前記低信号品質メトリックが所定のしきい値を超えることに応答して実行される、を行うための前記少なくとも１つのプロセッサの構成をさらに含む、Ｃ８４に記載の装置。
［Ｃ９０］  前記ダウンリンク制御基準送信の前記スケジュールに従って制御基準送信を復号することの失敗率を監視することと、
前記失敗率に少なくとも部分的に基づいて、前記信号予約信号の送信電力を調整することとを行うための前記少なくとも１つのプロセッサの構成をさらに含む、Ｃ８４に記載の装置。
［Ｃ９１］  前記制御基準送信が、クリアチャネルアセスメント免除送信（ＣＥＴ）を含む、Ｃ８４に記載の装置。
［Ｃ９２］  ワイヤレス通信のために構成された装置であって、前記装置が、
少なくとも１つのプロセッサと、
前記少なくとも１つのプロセッサに結合されたメモリとを備え、
ここにおいて、前記少なくとも１つのプロセッサが、
基地局によってサービスされるユーザ機器（ＵＥ）から送信される予想されるアップリンク制御基準送信のためのアップリンク制御基準送信受信の予想される持続時間を決定することと、
保護信号を送信することと、ここにおいて、前記保護信号が、前記アップリンク制御基準送信受信の前記予想される持続時間の少なくとも前記持続時間の保護持続時間を識別する、
前記予想されるアップリンク制御基準送信を監視することと
を行うように構成された、装置。
［Ｃ９３］  アンライセンスキャリア上でクリアチャネルアセスメント（ＣＣＡ）を実行することと、
ダウンリンク制御基準送信を送信することと、ここにおいて、前記制御基準送信は、前記ＣＣＡが前記アンライセンスキャリアがクリアであることを示すことに応答して送信され、ここにおいて、前記保護信号が、前記ダウンリンク制御基準送信の後であるが前記予想されるアップリンク制御基準送信の前に送信される、を行うための前記少なくとも１つのプロセッサの構成をさらに含む、Ｃ９２に記載の装置。
［Ｃ９４］  ダウンリンク制御基準送信の持続時間を決定するための前記少なくとも１つのプロセッサの構成をさらに含み、ここにおいて、前記保護信号によって識別される前記予想される持続時間が、前記ダウンリンク制御基準送信の前記持続時間をさらに含む、Ｃ９２に記載の装置。
［Ｃ９５］  前記保護信号が、
送信要求（ＲＴＳ）信号、または
送信クリア（ＣＴＳ）信号のうちの少なくとも１つを含む、Ｃ９２に記載の装置。
［Ｃ９６］  前記制御基準送信が、クリアチャネルアセスメント免除送信（ＣＥＴ）を含む、Ｃ９２に記載の装置。